(57)【要約】【課題】押込む操作を行うだけで接続することができ、消防ホースのように使用時に大きな水圧がかかるときでも従来の継手と同様、シールが維持されて水洩れを生ずることがないホース継手を提供する。【解決手段】結合金具１は一側に中空状の雄部４と雌部５を有し、雄部４と雌部５はそれぞれ断面が半円形の相似形をなし、雄部４は雌部５に嵌合可能である。雄部４には、外周側にフランジ６を備えた半円断面の操作環７がスライド可能に装着されると共に、端部に外周側に突出する厚肉部８によって操作環７の抜け止めを行う段９が形成され、厚肉部８にはシールリング１１が装着される。雌部５には内周側に図示しないバネによって径方向内向きに突出するように付勢される爪１２を有し、雄部４を雌部５に嵌合したとき、雄部４の厚肉部端によりバネの作用に抗して一旦押込まれた爪１２は段９に達して内向きに突出し、該段９に係止して連結される。【選択図】図５
2009243600.tif 000002
【特許請求の範囲】
【請求項１】
ホース同士或いはホースとポンプその他の機器を接続するためのホース継手であって、互いに着脱可能な一対の結合金具よりなり、各結合金具はそれぞれ結合方向に向かって突出する中空状の雄部と雌部を有し、一方の結合金具の雄部は他方の結合金具の雌部に、また一方の結合金具の雌部は他方の結合金具の雄部にそれぞれ嵌合係止可能であり、雄部外周と雌部内周のうち、少なくとも一方には、雄部と雌部を嵌合した状態で両者をシールするシール手段が設けられることを特徴とするホース継手。
【請求項２】
前記雄部と雌部がそれぞれ断面半円形の相似形をなすことを特徴とする請求項１記載のホース継手。
【請求項３】
前記雄部には外周にフランジを備えた操作環がスライド可能に装着されると共に、端部に操作環の抜け止めを行う段が形成される一方、雌部には内周側にバネによって径方向内向きに突出するように付勢され、雄部に形成される前記段に係止可能な爪を有することを特徴とする請求項１又は２記載のホース継手。
【発明の詳細な説明】
【技術分野】
【０００１】
本発明は、消防ホース等のホースを接続するためのホース継手に関する。
【背景技術】
【０００２】
この種のホース継手は一般に、互いに着脱可能な雄金具と雌金具よりなり、雄金具を雌金具に差込んで嵌合係止させることにより接続されるようになっている。
【０００３】
消防ホースの場合、該ホースは通常巻き取られており、消火作業のためホース同士を接続する際には、引き伸ばした一方のホース端の雄金具と他方のホース端の雌金具を嵌合係止させて接続し、消火現場まで長く伸ばして使用されるが、ホースを伸ばす際、誤って雄金具同士或いは雌金具同士が対応するように伸ばされたり、或いは互いに嵌合係止される雌雄金具のうちの一方が巻き取られていて、そのままでは雌雄金具を接続できないことがあり、迅速性を要求される消火作業を遅らせることがある。
【０００４】
雌雄の区別のないホース継手も提案されている。特許文献１及び２に示されるものがそうで、特許文献１には、継手側端部を周方向に四等分して一対の凹陥部と突部を互い違いに形成すると共に、凹陥部の各内側縁から右回り周方向に凹部を切削して継手側端部に凹部と同一形状の突部を残留させ、継手接続時には、左右の継手を持ち寄って継手同士の突部を凹陥部に挿入したのち、左右の継手を互いに右回りに回動させて凹部に突部を嵌合させるようにしたもの、特許文献２には、継手側端部に嵌合突部と嵌合凹部を周方向に交互に形成すると共に、嵌合突部の側面に係止鉤部を形成し、継手接続時には、左右の継手の嵌合突部を嵌合凹部に嵌合したのち周方向に付勢して鉤部同士を係合させるようにしたものが開示されている。
【特許文献１】実願平３−１１００４７（実開平６−１４６８１号）のＣＤ−ＲＯＭ
【特許文献２】特開平９−１１９５７７号
【発明の開示】
【発明が解決しようとする課題】
【０００５】
特許文献１に開示される継手は、継手接続時、左右の継手を突き合せ、突部を凹陥部に挿入したのち、周方向に回動させて突部を凹部に嵌合させねばならないのに対し、特許文献２に開示される継手は、左右の継手を突き合せ、嵌合突部を嵌合凹部に一方向に押込む操作をするだけでよいが、いずれの継手の場合も継手側が突き合わされてシールされるようになっており、消防ホースのように使用時に大きな水圧がかかる場合、シール面から水洩れを生じ易い。
【０００６】
本発明は、一方向の押込み操作だけで接続できると共に、雌雄の金具よりなる従来の継手と同様にシール性を維持することができるホース継手を提供することを目的とする。
【課題を解決するための手段】
【０００７】
請求項１に係る発明は、ホース同士或いはホースとポンプその他の機器を接続するためのホース継手であって、互いに着脱可能な一対の結合金具よりなり、各結合金具はそれぞれ結合方向に向かって突出する中空状の雄部と雌部を有し、一方の結合金具の雄部は他方の結合金具の雌部に、また一方の結合金具の雌部は他方の結合金具の雄部にそれぞれ嵌合係止可能であり、雄部外周と雌部内周のうち、少なくとも一方には、雄部と雌部を嵌合した状態で両者をシールするシール手段が設けられることを特徴とする。
【０００８】
請求項２に係る発明は、請求項１に係る発明の雄部と雌部がそれぞれ断面半円形の相似形をなすことを特徴とする。
【０００９】
請求項３に係る発明は、請求項１又は２に係る発明において、雄部には外周にフランジを備えた操作環がスライド可能に装着されると共に、端部に操作環の抜け止めを行う段が形成される一方、雌部には内周側にバネによって径方向内向きに突出するように付勢され、雄部に形成される前記段に係止可能な爪を有することを特徴とする。
【発明の効果】
【００１０】
請求項１に係る発明のホース継手によると、一方の結合金具の雄部と雌部を他方の結合金具の雌部と雄部に合わせて結合方向に向かって一方向に押込むことで、各雄部と雌部がそれぞれ相手方の雌部と雄部に嵌合係止し、両結合金具が結合して接続される。また雄部と雌部の間には、シール手段が設けられることにより従来の雌雄の金具よりなる継手と同様、シール性を維持することができる。
【００１１】
請求項２に係る発明のホース継手によると、流体の流通断面積を最大限に確保することができ、請求項３に係る発明のホース継手においては、接続時、雄部を雌部に押込むと、雌部の爪が雄部によりバネの作用に抗して径方向に一旦押込まれたのち段において突出し、係止する。接続を解除するときには操作環を押込む。操作環の押込みにより爪がバネの作用に抗して径方向外方に押込まれ、雄部の段より外れる。この状態で雄部を引抜くと雌部より外れる。
【発明を実施するための最良の形態】
【００１２】
以下、本発明の実施形態について図面により説明する。
図１は、ホース継手を構成する結合金具１の斜視図、図２は同正面図、図３は同側面図、図４は図３のＡ−Ａ線における断面、図５は結合金具１を結合した状態での部分断面正面図、図６は図５のＢ−Ｂ線断面をそれぞれ示すもので、結合金具１は一側にホース２への挿入部３を有すると共に、他側に挿入部３と逆向きに突出する中空状の雄部４と雌部５を有し、雄部４と雌部５はそれぞれ断面が半円形の相似形をなし、雄部４は雌部５に嵌合できるように形成されている。そして雄部４には、外周側にフランジ６を備えた半円断面の操作環７が雄部４に沿ってスライド可能に装着されると共に、端部に外周側に突出する厚肉部８によって操作環７の抜け止めを行う段９が形成され、厚肉部８には該厚肉部８に嵌合係止するシール手段としての環状のシールリング１１が装着されている。このシールリング１１は既知の他のシール手段に変えてもよい。
【００１３】
一方、雌部５は内周側に図示しないバネによって径方向内向きに突出するように付勢される爪１２を有し、図５に示すように雄部４を雌部５に嵌合したとき、雄部４の厚肉部端によりバネの作用に抗して一旦径方向外方に押込まれた爪１２は段９に達して内向きに突出し、該段９に係止して連結されるようになっている。
【００１４】
本実施形態のホース継手は以上のように構成され、継手接続時には左右の結合金具１を各雄部４と雌部５が互いに向き合うように持ち寄って押込み、雄部４を雌部５に嵌合させる。嵌合は、雄部端が爪１２に突き当たった状態で更に強く押込むことにより行われ、爪１２が段９に係止した状態で結合される。図５は、この結合状態を示し、雄部４と雌部５は、雄部４の厚肉部８外周面と雌部５内周面との間に介在するシールリング１１によってシールされる。
【００１５】
接続を解除するときには左右の結合金具１の操作環７をそれぞれ押込み、爪１２をバネの作用により径方向外方に後退させて段９より引込める。この状態で結合金具１を左右に引き離す。
【００１６】
本実施形態のホース継手によると、左右の結合金具１を互いに押込む操作を行うだけで接続することが可能であり、接続状態では、雄部４と雌部５との間に介在するシールリング１１により従来の雌雄金具よりなる継手と同様にシールされ、消防ホースのように使用時に大きな水圧がかかるときでもシールが維持されて水洩れを生ずることがない。
【００１７】
上記実施形態の雄部４と雌部５は半円断面となっているが、図７及び図８に示す結合金具１５では、雄部１６と雌部１７が相似形の円形に形成され、左右の結合金具１５の雄部１６が雌部１７に嵌合係止できるようになっている。
【図面の簡単な説明】
【００１８】
【図１】結合金具の斜視図。
【図２】同正面図。
【図３】同側面図。
【図４】図３のＡ−Ａ線断面図。
【図５】結合金具を結合した断面図。
【図６】図５のＢ−Ｂ線断面図。
【図７】結合金具の別の例の斜視図。
【図８】同側面図。
【符号の説明】
【００１９】
１、１５・・結合金具
２・・ホース
３・・挿入部
４、１６・・雄部
５、１７・・雌部
６・・フランジ
７・・操作環
８・・厚肉部
９・・段
１１・・シーリング
１２・・爪
【図１】
2009243600.tif 000003
【図２】
2009243600.tif 000004
【図３】
2009243600.tif 000005
【図４】
2009243600.tif 000006
【図５】
2009243600.tif 000007
【図６】
2009243600.tif 000008
【図７】
2009243600.tif 000009
【図８】
2009243600.tif 000010